(57)【要約】      （修正有）【課題】スライド式可変抵抗等における、塵埃の侵入を抑制する操作装置を提供する。【解決手段】操作装置１は、操作される側の前面部１１と、前面部１１に対して背面側にあって開口部が形成された背面部１２と、前面部１１と背面部１２とを連結する第１側壁部３８Aおよび第２側壁部とを含む筐体１０と、前面部１１に対向する第１面と背面部１２に対向する第２面とを含み、筐体１０内を移動する可動体３５と、筐体１０の内部に配置されて可動体３５が移動する方向に延在する抵抗体と、抵抗体に接触するように可動体３５に固定された摺動子（ブラシ）３４と、筐体１０の前面部１１側に配置される第１端部３１と、開口部を介して可動体３５の第２面に固定される第２端部と、筐体１０の片側を通って第１端部３１と第２端部とを連結する中間部３３とを含む連結部材３０とを具備する。【選択図】図２
2016100371.tif 000002
【特許請求の範囲】
【請求項１】
操作される側の前面部と、前記前面部に対して背面側にあって開口部が形成された背面部と、前記前面部と前記背面部とを連結する第１側壁部および第２側壁部とを含む筐体と、
前記前面部に対向する第１面と前記背面部に対向する第２面とを含み、前記筐体内を移動する可動体と、
前記筐体の内部に配置されて前記可動体が移動する方向に延在する抵抗体と、
前記抵抗体に接触するように前記可動体に固定された摺動子と、
前記筐体の前記前面部側に配置される第１端部と、前記開口部を介して前記可動体の前記第２面に固定される第２端部と、前記筐体の片側を通って前記第１端部と前記第２端部とを連結する中間部とを含む連結部材と
を具備する操作装置。
【請求項２】
前記開口部は、前記前面部の側からみて前記筐体の前記第１側壁部の側に位置し、
前記摺動子は、前記前面部の側からみて前記筐体の前記第２側壁部の側に位置する
請求項１の操作装置。
【請求項３】
前記抵抗体は、前記第１面と前記前面部との間に配置され、
前記摺動子は、前記抵抗体に接触するように前記第１面に配置される
請求項２の操作装置。
【請求項４】
前記開口部は、前記前面部の側からみて、前記第１側壁部と前記第２側壁部との中央部に位置する
請求項１の操作装置。
【請求項５】
前記第１端部は、前記前面部の側からみて、前記第１側壁部と前記第２側壁部との中央部に位置する
請求項１から請求項４の何れかに記載の操作装置。
【発明の詳細な説明】
【技術分野】
【０００１】
本発明は、手動操作やモーター駆動によって操作子が移動する操作装置に関する。
【背景技術】
【０００２】
例えば特許文献１には、スライド形可変抵抗器を音響ミキサーや電子ピアノに調整用のつまみとして用いることが記載されている（段落０００３）。また、同文献には、枠体６の上面に形成されたスリット７に沿ってスライドするスライダー５と、スライダー５の下側に設けられ、炭素皮膜抵抗体１が直線状に印刷された絶縁樹脂基板３と、スライダー５の本体部５ａの裏面に配設され、スライダー５のスライド移動に応じて炭素皮膜抵抗体１に当接しつつスライドする摺動子４と、を備えたスライド形可変抵抗器１０が記載されている（段落０００４、図５）。
【先行技術文献】
【特許文献】
【０００３】
【特許文献１】特開平９−２８３３０９号公報
【発明の概要】
【発明が解決しようとする課題】
【０００４】
上述したスライド形可変抵抗器１０では、スリット７から入り込んだ塵や埃等の塵埃が炭素皮膜抵抗体１の上に堆積してしまう。このため摺動子４と炭素皮膜抵抗体１との接触不良や、摺動子４の変形・破損等が生じる。以上の事情を考慮して、本発明は、塵埃の進入を抑制することを解決課題の一つとする。
【課題を解決するための手段】
【０００５】
以上の課題を解決するために、本発明の第１態様の操作装置は、操作される側の前面部と、前記前面部に対して背面側にあって開口部が形成された背面部と、前記前面部と前記背面部とを連結する第１側壁部および第２側壁部とを含む筐体と、前記前面部に対向する第１面と前記背面部に対向する第２面とを含み、前記筐体内を移動する可動体と、前記筐体の内部に配置されて前記可動体が移動する方向に延在する抵抗体と、前記抵抗体に接触するように前記可動体に固定された摺動子と、前記筐体の前記前面部側に配置される第１端部と、前記開口部を介して前記可動体の前記第２面に固定される第２端部と、前記筐体の片側を通って前記第１端部と前記第２端部とを連結する中間部とを含む連結部材とを具備する。以上の構成では、操作子が配置される前面部とは反対側の背面部（すなわち筐体の背面側）に形成された開口部を介して筐体内の可動体と操作子とが連結部材により連結されるから、操作子が配置される前面部に開口部が形成される構成と比較して、筐体の内部に対する塵埃の進入が抑制される、という効果を奏する。また、以上の構成では、連結部材の中間部は、筐体の片側（例えば、第１側壁部の側または第２側壁部の側）を通って第１端部と第２端部とを連結するから、筐体の両側（例えば、第１側壁部の側および第２側壁部の側）を通って連結部材が第１端部と第２端部とを連結する構成と比較して、連結部材の重量が低減される。したがって、利用者の手動による操作感を向上させることができる。
【０００６】
本発明の第１態様の操作装置の好適例は、前記開口部は、前記前面部の側からみて前記筐体の前記第１側壁部の側に位置し、前記摺動子は、前記前面部の側からみて前記筐体の前記第２側壁部の側に位置する。以上の構成では、開口部は、前面部に垂直な方向からみて第１側壁部の側に位置し、摺動子は、前面部に垂直な方向からみて第２側壁部の側に設けられる。すなわち、開口部と摺動子とは、可動体の移動方向に交差する方向の一方側（第１側壁部の側）と他方側（第２側壁部の側）とに相互に離間して配置される。以上の構成によれば、摺動子と開口部とが相互に第１側壁部の側（第２側壁部の側）に配置される構成と比較して、開口部を介して塵埃が進入した場合でも摺動子に到達し難い、という効果を奏する。
【０００７】
上述した第１態様の好適例において、前記抵抗体は、前記第１面と前記前面部との間に配置され、前記摺動子は、前記抵抗体に接触するように前記第１面に配置される。以上の構成では、可動体のうち開口部側の第２面とは反対側の第１面に摺動子が形成されて当該第１面と前面部との間の抵抗体に接触する。すなわち、可動体の第２面に摺動子を設置した構成と比較して開口部と摺動子（または抵抗体）との距離が確保される。したがって、第２面に摺動子を設置した構成と比較して、開口部を介して進入した塵埃が摺動子に到達し難いという前述の効果は格別に顕著である。
【０００８】
本発明の第１態様の好適例において、前記開口部は、前記前面部の側からみて、前記第１側壁部と前記第２側壁部との中央部に位置する。以上の構成では、背面部のうち第１側壁部と第２側壁部との中央部に形成された開口部を介して連結部材の第２端部が可動体に固定される。以上の構成によれば、連結部材の第２端部が、背面部のうち第１側壁部の側（第２側壁部の側）で可動体に固定される構成と比較して、可動体の姿勢が安定する（例えばガタツキが低減される）という効果を奏する。
【０００９】
本発明の第１態様の好適例において、前記第１端部は、前記前面部の側からみて、前記第１側壁部と前記第２側壁部との中央部に位置する。以上の構成では、連結部材の第１端部が、前面部の側からみて（例えば前面部に垂直な方向からみて）、第１側壁部と第２側壁部との中央部で操作子に固定される。したがって、第１端部が、前面部に垂直な方向からみて、背面部のうち第１側壁部の側（第２側壁部の側）で操作子に固定される構成と比較して、操作装置のうち、可動体の移動方向に交差する方向における寸法を低減することが可能になる。
【００１０】
また、本発明は、上述したいずれかの操作装置を備えた電子機器であってもよい。電子機器の一例として、例えば、オーディオミキサー、照明の光量調整装置、電子楽器等が挙げられる。また、本発明を可変抵抗器として特定してもよい。
【図面の簡単な説明】
【００１１】
【図１】オーディオミキサーの操作パネルの一部を示す平面図である。
【図２】第１実施形態の操作装置の斜視図である。
【図３】第１実施形態の操作装置の斜視図である。
【図４】第１実施形態の操作装置の断面図である。
【図５】第１実施形態の操作装置の平面図である。
【図６】第１実施形態の抵抗体の平面図である。
【図７】第２実施形態の操作装置の断面図である。
【図８】第３実施形態の操作装置の断面図である。
【図９】第４実施形態の操作装置の断面図である。
【図１０】第５実施形態の操作装置の断面図である。
【図１１】対比例の操作装置の断面図である。
【発明を実施するための形態】
【００１２】
＜第１実施形態＞
図１は、本発明の第１実施形態に係る操作装置１を備えたオーディオミキサー１００の操作パネル１０７の一部（フェーダー・セクション）を示す平面図である。オーディオミキサー１００は、音響信号の入力側のチャンネルとしてＮ個のチャンネルＣＨ１〜ＣＨＮを有する。
【００１３】
図１に例示される通り、操作パネル１０７にはＮ個の操作装置（フェーダー）１がＸ軸方向に沿って設置される。各操作装置１は操作子１０８を具備する。操作パネル１０７には、Ｘ軸方向に直交するＹ軸方向に延在するＮ個の長孔１０９が形成される。長孔１０９は、Ｙ軸方向に長尺な開口である。利用者は、指先等を操作子１０８に接触させて操作することで、長孔１０９に沿って操作子１０８をＹ軸方向に任意に移動させることが可能である。操作装置１は、利用者が操作子１０８を指先等で移動させる手動操作に加えて、モーターの駆動により操作子１０８を自動的に（すなわち利用者からの操作を必要とせずに）所定の位置に移動させる自動操作が可能なモーターフェーダーである。なお、以下の説明では、長孔１０９が延在する方向をＹ軸方向と表記し、Ｙ軸方向に垂直な方向（横方向）をＸ軸方向と表記し、Ｘ-Ｙ平面に垂直な方向（奥行方向）をＺ軸方向と表記する。
【００１４】
図２は、任意の１個の操作装置１の斜視図である。図２に例示される通り、操作装置１は、可動体３５と筐体１０と連結部材３０と操作子１０８と駆動機構Ｍと絶縁基板２０とを含んで構成される。図３は、Ｚ軸方向の負側からみた操作装置１の斜視図である。なお、図３では駆動機構Ｍの図示が便宜的に省略されている。
【００１５】
駆動機構Ｍは、可動体３５や操作子１０８を自動的に（すなわち利用者からの操作を必要とせずに）移動させる手段であり、モーター（例えばステッピングモーター）１４と駆動プーリー１５と従動プーリー１７とベルト１８とを包含する。駆動プーリー１５はモーター１４の回転軸１４Aに結合され、駆動プーリー１５と従動プーリー１７との間に環状のベルト１８が回動可能に張架される。ベルト１８の一部が可動体３５に固定され、モーター１４の回転軸１４Aの回転に連動してベルト１８が回動することで可動体３５および操作子１０８がＹ軸方向に移動する。
【００１６】
図４は、図２におけるIV-IV線の断面図（Ｙ-Ｚ平面に平行な断面）である。可動体３５は、操作子１０８に対する利用者からの操作に応じて操作子１０８とともに移動する構造体であり、図４から把握される通り、上面３６と底面３７と側面３８（３８A，３８B）とを有する。図４に例示される通り、上面３６は第１領域３６Aと第２領域３６Bとを包含する。第１領域３６Aは、第２領域３６Bと比較してＺ軸方向における正側に位置する。底面３７は、上面３６とは反対側の面であり、側面３８（３８A，３８B）は上面３６の各縁辺から底面３７に亘って形成される。側面３８Aは、可動体３５のうちＸ軸方向における負側に位置し、側面３８Bは、可動体３５のうちＸ軸方向における正側に位置する。
【００１７】
図５は、操作装置１の平面図である。図４および図５から把握される通り、上面３６のうちＸ軸方向の正側（側面３８B寄り）に位置する第２領域３６Bには、ブラシ（摺動子）３４が設置される。ブラシ３４は、弾性変形可能な導電性の金属薄板で形成され、図４に例示される通り、ブラシ３４の先端がＺ軸方向の正側を向くように第２領域３６Bに固定される。
【００１８】
筐体１０は、可動体３５を収容する。筐体１０は、Ｙ軸方向に長尺な略直方体状の中空の構造体であり、図２乃至図４に例示される通り、前面部１１と背面部１２と側壁部１３（１３A，１３B）とを含んで構成される。前面部１１および背面部１２は、Ｙ軸方向に延在する平板状の部材である。図４に例示される通り、前面部１１は、可動体３５の上面３６に対向する。前面部１１に対して可動体３５とは反対側（Ｚ軸方向正側）に操作子１０８が配置される。操作子１０８は、Ｚ軸方向の正側からみて前面部１１におけるＸ軸方向の中央部（側壁部１３Aおよび側壁部１３Bの中央部）に配置される。
【００１９】
背面部１２は可動体３５の底面３７に対向する。側壁部１３は、前面部１１の各縁辺から背面部１２に亘って形成される。筐体１０のうち、Ｘ軸方向における負側に位置する側壁部１３Aは可動体３５の側面３８Aに対向し、Ｘ軸方向における正側に位置する側壁部１３Bは可動体３５の側面３８Bに対向する。なお、図２や図３では、筐体１０を一体に形成した構成を例示したが、実際には、別体で形成された複数の要素を相互に固定することで筐体１０が構成される。例えば、前面部１１と側壁部１３Aと側壁部１３Bとが一体に構成された構造体に、別体で平板状に形成された背面部１２が固定される。
【００２０】
図４および図５に例示される通り、背面部１２には開口部１９が形成される。開口部１９は、Ｙ軸方向に沿って直線状に延在する貫通孔であり、背面部１２のうちＸ軸方向の負側（側壁部１３A寄り）に形成される。すなわち、図５に例示される通り、Ｙ軸方向に平行な前面部１１の中心線Ｌ1を想定すると、前面部１１に垂直な方向（Ｚ軸方向の正側）からみて、開口部１９は、中心線Ｌ1を挟んでブラシ３４と反対側に位置する。すなわち、前面部１１の側からみて（例えば前面部１１に垂直な方向からみて）Ｘ軸方向の負側（側壁部１３A側）に開口部１９が配置され、Ｘ軸方向の正側（側壁部１３B側）にブラシ３４が配置される。以上の説明から理解される通り、第１実施形態のブラシ３４と開口部１９とは、Ｘ軸方向における正側と負側とに相互に離間するように配置されている。
【００２１】
絶縁基板２０はＹ軸方向に長尺な絶縁性の平板材であり、図４に例示される通り、前面部１１の下面と可動体３５の上面３６との間に固定される。図６は、絶縁基板２０をＺ軸方向の負側からみた平面図である。図６に例示される通り、絶縁基板２０のうちＺ軸方向の負側の表面（可動体３５との対向面）には、Ｙ軸方向に沿って延在する帯状の抵抗パターン２１（抵抗体）が形成される。すなわち、抵抗パターン２１は、可動体３５の上面３６と前面部１１との間に配置される。図４に例示される通り、ブラシ３４の先端が抵抗パターン２１に接触するように、抵抗パターン２１は、絶縁基板２０の表面のうちＸ軸方向の正側の位置でＹ軸方向(可動体３５が移動する方向)に延在する。すなわち、抵抗パターン２１と開口部１９とは、前面部１１の中心線Ｌ1を挟んでＸ軸方向の正側と負側とに相互に離間するように配置される。
【００２２】
絶縁基板２０のうちＹ軸方向における正側の端部には、抵抗パターン２１が接続された端子２２が設けられている。操作子１０８の移動に伴い、可動体３５がＹ軸方向に沿って移動すると、抵抗パターン２１に対してブラシ３４が接触する位置が変化し、端子２２の抵抗値（または電圧値）が変化する。利用者が操作子１０８を指先等で手動操作することにより、または駆動機構Ｍの駆動により自動操作することで、操作子１０８がＹ軸方向に移動すると、音響信号の音量やピッチ等の特性値が端子２２の電圧値に応じて調整される。
【００２３】
図４の連結部材３０は、可動体３５と操作子１０８とを相互に接続する。連結部材３０は、金属の平板を折曲げ加工した部材であり、図４に例示される通り、第１端部３１と第２端部３２と中間部３３（３３A，３３B，３３C）とを含んで構成される。第１端部３１は、前面部１１の側からみて（例えば前面部１１に垂直な方向、すなわちＺ軸方向からみて）Ｘ軸方向における筐体１０（前面部１１）の中央部に位置し、Ｚ軸方向の正側の周縁が操作子１０８に固定される。具体的には、第１端部３１のＺ軸方向正側の周縁は、操作子１０８のＺ軸方向負側の面におけるＸ軸方向の中央部に固定される。第２端部３２は、Ｚ軸方向に延在して開口部１９を通過し、筐体１０の内部に到達した周縁が可動体３５の底面３７に固定される。中間部３３は、部分３３Aと部分３３Bと部分３３Cとが相互に連結されたコ字状の部分である。部分３３Bは、筐体１０の側壁部１３Aに対向するようにＺ軸方向に延在する。部分３３Aは、筐体１０の前面部１１に対向する部分であり、部分３３BのうちＺ軸方向の正側の周縁からＸ軸方向における前面部１１の中央部までＸ軸方向に延在する。第１端部３１は、部分３３AのうちＸ軸方向の正側の周縁（Ｘ軸方向における前面部１１の中央部）に連結される。他方、中間部３３の部分３３Cは、筐体１０の背面部１２に対向する部分であり、部分３３BのうちＺ軸方向の負側の周縁から背面部１２の開口部１９の位置までＸ軸方向に延在する。第２端部３２は、部分３３CのうちＸ軸方向の正側の周縁に連結されてＺ軸方向に延在する。すなわち、連結部材３０は、前面部１１のうちＸ軸方向の負側に対向する部分３３Aと、Ｘ軸方向負側の側壁部１３Aに対向する部分３３Bと、背面部１２のうちＸ軸方向負側に対向する部分３３Cとを含む中間部３３によって、第１端部３１と第２端部３２とを連結する。以上の説明から理解される通り、中間部３３は、筐体１０の片側（Ｘ軸方向における負側）を通って第１端部３１と第２端部３２とを連結する。
【００２４】
以上に説明した通り、第１実施形態では、筐体１０のうち操作子１０８側の前面部１１とは反対側の背面部１２に形成された開口部１９を介して筐体１０内の可動体３５と操作子１０８とが連結部材３０によって連結される。したがって、操作子１０８側の前面部１１に開口部１９を形成した構成と比較して、筐体１０の内部に対する塵埃の進入を抑制することが可能である。
【００２５】
背面部１２に形成された開口部１９を介して筐体１０内の可動体３５と操作子１０８とを連結する構成としては、例えば第５実施形態として後述される図１０の構成も想定され得る。図１０の構成における連結部材３０は、筐体１０の一方側（Ｘ軸方向における負側）を通って第１端部３１と第２端部３２とを連結する部分３３１（３３１A，３３１B，３３１C）に加えて、筐体１０の他方側（Ｘ軸方向における正側）を通って第１端部３１と第２端部３２とを連結する部分３３２（３３２A，３３２B，３３２C）とを包含する。図１０の構成では、筐体１０の両側を通る中間部３３で第１端部３１と第２端部３２とが連結されるのに対し、第１実施形態では、筐体１０の片側（Ｘ軸方向における負側）を通る中間部３３（部分３３A〜部分３３C）で第１端部３１と第２端部３２とが連結される。すなわち、第１実施形態では、図１０の構成のうち、部分３３２（３３２A，３３２B，３３２C）を設ける必要がない。したがって、第１実施形態によれば、図１０の構成と比較して、連結部材３０の重量が低減され、結果的に利用者による操作子１０８の操作感を向上させることが可能である。
【００２６】
第１実施形態では、前面部１１の側からみて（例えば、前面部１１に垂直な方向からみて）、Ｘ軸方向の正側にブラシ３４が形成され、Ｘ軸方向の負側に開口部１９が形成される。すなわち、ブラシ３４と開口部１９とは、Ｚ軸方向の正側からみてＸ軸方向における正側と負側とに相互に離間するから、開口部１９とブラシ３４との距離が確保される。したがって、ブラシ３４と開口部１９との双方がＸ軸方向の負側（側壁部１３A側）に形成される構成や、ブラシ３４と開口部１９との双方がＸ軸方向の正側（側壁部１３B側）に形成される構成と比較して、例えば開口部１９を介して塵埃が進入した場合でも、塵埃がブラシ３４に到達し難いという利点がある。
【００２７】
第１実施形態では特に、可動体３５のうち開口部１９側の底面３７とは反対側の上面３６にブラシ３４が形成されるから、可動体３５のうち背面部１２に対向する底面３７にブラシ３４が形成される構成と比較して、開口部１９とブラシ３４との距離が確保される。したがって、開口部１９を介して進入した塵埃がブラシ３４に到達し難いという前述の効果は格別に顕著である。
【００２８】
＜第２実施形態＞
本発明の第２実施形態を以下に説明する。以下に例示する各形態において、作用や機能が第１実施形態と同様である要素については、第１実施形態の説明で使用した符号を流用して各々の詳細な説明を適宜に省略する。
【００２９】
図７は、第２実施形態の操作装置１の断面図である。図７に例示される通り、第２実施形態の連結部材３０の中間部３３は、第１実施形態における部分３３Aを省略した構造である。すなわち、中間部３３は、側壁部１３Aに対向するようにＺ軸方向に延在する部分３３Bと、部分３３BのうちＺ軸方向の負側の周縁から背面部１２に対向するようにＸ軸方向に延在して第２端部３２に連結される部分３３Cとで構成される。第１端部３１は、部分３３BのうちＺ軸方向の正側の周縁に連結されてＺ軸方向に延在する。第１実施形態と同様に、第１端部３１のうちＺ軸方向の正側の周縁に操作子１０８が固定される。したがって、操作子１０８は、第１実施形態と比較してＸ軸方向の負側に位置する。以上の説明から理解される通り、第２実施形態においても第１実施形態と同様に、中間部３３は、筐体１０の片側（Ｘ軸方向の負側）を通って第１端部３１と第２端部３２とを連結する。
【００３０】
第２実施形態においても第１実施形態と同様の効果が実現される。また、第２実施形態では、第１実施形態の部分３３Aが省略されるから、第１実施形態と比較して中間部３３の構成が簡素化されるという利点がある。他方、第１実施形態では、Ｚ軸方向正側からみて前面部１１におけるＸ軸方向の中央部寄りに操作子１０８が配置されるから、第２実施形態の構成と比較して、操作装置１のＸ軸方向における寸法が低減されるという利点がある。
【００３１】
＜第３実施形態＞
図８は、第３実施形態に係る操作装置１の断面図である。前述の各形態では、背面部１２のうちＸ軸方向の負側に開口部１９が形成される構成を例示したが、第３実施形態では、図８に例示される通り、前面部１１の側（前面部１１に垂直な方向、すなわちＺ軸方向正側）からみて、背面部１２のうちＸ軸方向における中央部(すなわち、側壁部１３Aと側壁部１３Bとの中央部)に開口部１９が形成される。第２端部３２は、連結部材の中間部３３のうち背面部１２におけるＸ軸方向の中央部まで延在する部分３３Cの周縁からＺ軸方向に延在して開口部１９を通過し、筐体１０の内部に到達した周縁が可動体３５の底面３７のうちＸ軸方向における中央部に固定される。
【００３２】
第３実施形態においても第１実施形態と同様の効果が実現される。また、第３実施形態では、背面部１２のうちＸ軸方向の中央部に開口部１９が形成されるから、可動体３５の底面３７のうちＸ軸方向の中央部に連結部材３０の第２端部３２を固定することが可能である。Ｘ軸方向の負側の位置で第２端部３２が可動体３５の底面３７に固定された構成（例えば第１実施形態）では、可動体３５の底面３７から背面部１２の表面に作用する圧力がＸ軸方向の負側（第２端部３２に近い位置）ほど大きくなるように底面３７の面内で偏在する。他方、前述のように可動体３５の底面３７のうちＸ軸方向の中央部に第２端部３２が固定される第３実施形態によれば、可動体３５の底面３７が略全面にわたり均等な圧力で背面部１２の表面に接触する。したがって、可動体３５の姿勢を安定に維持できる（ガタツキを低減できる）という利点がある。
【００３３】
＜第４実施形態＞
第１実施形態乃至第３実施形態では、可動体３５の上面３６（第２領域３６B）にブラシ３４を形成したが、ブラシ３４の位置は以上の例示に限定されない。第４実施形態では、可動体３５の底面３７にブラシ３４が形成される。
【００３４】
図９は、第４実施形態に係る操作装置１の断面図である。図９に例示される通り、第４実施形態の可動体３５の底面３７は、第１領域３７Aと第２領域３７Bとを包含する。第１領域３７Aは、第２領域３７Bと比較してＺ軸方向における負側に位置する。図９から把握される通り、底面３７のうち第２領域３７Bに、先端がＺ軸方向の負側を向くようにブラシ（摺動子）３４が固定される。なお、第４実施形態の可動体３５の上面３６は平面状である。
【００３５】
絶縁基板２０は、背面部１２の上面と可動体３５の底面３７との間に固定される。絶縁基板２０の表面（Ｚ軸方向正側）には、抵抗パターン２１が形成される。すなわち、抵抗パターン２１は、可動体３５の底面３７と、背面部１２との間に配置され、ブラシ３４の先端が絶縁基板２０の表面の抵抗パターン２１に接触するように、ブラシ３４が可動体３５の上面３６（第２領域３６B）に形成される。以上の構成によっても第１実施形態の効果が実現される。
【００３６】
＜第５実施形態＞
図１０は、第５実施形態の操作装置１の断面図である。第５実施形態の連結部材３０は、第３実施形態の中間部３３に加えて、Ｘ軸方向における正側を通る部分を有する。具体的には、図１０に例示される通り、第５実施形態の連結部材３０は、筐体１０の一方側（Ｘ軸方向における負側）を通って第１端部３１と第２端部３２とを連結する部分３３１（３３１A，３３１B，３３１C）に加え、筐体の他方側（Ｘ軸方向における正側）を通って第１端部３１と第２端部３２とを連結する中間部３３２（３３２A，３３２B，３３２C）を有する。また、第５実施形態では、第３実施形態と同様に、前面部１１の側からみて（例えば、前面部１１に垂直な方向、すなわちＺ軸方向正側）からみて、背面部１２のうちＸ軸方向における中央部に開口部１９が形成される。第５実施形態の構成によっても第１実施形態の効果を奏することが可能である。
【００３７】
ところで、第１実施形態から第５実施形態では、Ｙ-Ｚ平面に平行な平板状の第２端部３２を介して可動体３５を中間部３３に連結したが、可動体３５を操作子１０８に連結する構成としては、例えば図１１の構成（以下「対比例」という）も想定される。図１１の連結部材５０は、第５実施形態の連結部材３０のうち第２端部３２を接続部５２に変更した構成である。接続部５２は、Ｘ-Ｙ平面に平行な平板状の部分である。可動体３５の底面３７は接続部５２のうちＺ方向の正側の表面に固定される。
【００３８】
以上の説明から理解される通り、第１実施形態から第５実施形態では、可動体３５の底面３７のうちＸ軸方向の中央部に位置する狭い範囲が連結部材３０（第２端部３２）に固定されるのに対し、図１１の対比例では、可動体３５の底面３７の広い範囲にわたり連結部材３０（接続部５２）が固定される。したがって、第１実施形態から第５実施形態では、第２端部３２が通過する程度の横幅（例えば図１０の寸法Ｄ1）の開口部１９を筐体１０の背面部１２に形成すれば足りるのに対し、対比例では、底面３７と接続部５２とが接合される領域に相当するＸ方向の広範囲にわたる横幅（図１１の寸法Ｄ2）の開口部１９を背面部１２に形成する必要がある。以上の通り、第１実施形態から第５実施形態によれば、図１１の対比例と比較して開口部１９の面積が削減されるから、筐体１０の内部に対する塵埃の進入を対比例と比較して抑制できるという利点がある。
【００３９】
＜変形例＞
前述の各形態の構成は適宜に併合することが可能である。例えば、第４実施形態のようにブラシ３４を可動体３５の底面３７に設置した構成を、第１実施形態から第３実施形態に適用することも可能である。また、第２実施形態のように連結部材３０が部分３３Aを含まない構成を、第３実施形態や第４実施形態に適用することも可能である。
【００４０】
本発明に係るスライド操作装置をオーディオミキサー以外の電子機器に搭載してもよい。例えば、本発明に係るスライド操作装置を電子ピアノや電子オルガン等の電子楽器に搭載し、音量やピッチ等を連続的に変更できるようにしてもよい。また、本発明に係るスライド操作装置を照明の光量調整装置に搭載し、照明の明るさを連続的に変更できるようにしてもよい。また、これらの電子機器に搭載するスライド操作装置の数は、複数に限らず１以上であればよい。
【符号の説明】
【００４１】
１…操作装置、１０…筐体、１１…前面部、１２…背面部、１３A〜１３B…側壁部、１４…モーター、１５…駆動プーリー、１６…固定軸、１７…従動プーリー、１８…ベルト、１９…開口部、２０…絶縁基板、２１…抵抗パターン、３０……連結部材、３１…第１端部、３２…第２端部、３３A〜３３C…中間部、３４…ブラシ、３５…可動体、３６…上面（第１面）、３７…底面（第２面）、３８A〜３８C…側面、１００…オーディオミキサー、１０７…操作パネル、１０８…操作子、１０９…長孔。
【図１】
2016100371.tif 000003
【図２】
2016100371.tif 000004
【図３】
2016100371.tif 000005
【図４】
2016100371.tif 000006
【図５】
2016100371.tif 000007
【図６】
2016100371.tif 000008
【図７】
2016100371.tif 000009
【図８】
2016100371.tif 000010
【図９】
2016100371.tif 000011
【図１０】
2016100371.tif 000012
【図１１】
2016100371.tif 000013